(57)【要約】【課題】  部毎に異なる番号情報及び印刷者を示すユーザ情報が適切な位置に付加されるようにすることを目的とする。【解決手段】  印刷装置１０１は、部毎に異なる番号情報を印刷対象の画像に付加することが可能であって、印刷対象の画像に対して印刷者を示すユーザ情報を付加するか否かを判定し、判定の結果に基づき、番号情報を付加する位置を決定する。また、印刷装置１０１は、印刷者を示すユーザ情報を印刷対象の画像に付加することが可能であって、印刷対象の画像に対して部毎に異なる番号情報を付加するか否かを判定し、判定の結果に基づき、ユーザ情報を付加する位置を決定する。【選択図】  図１２
2020059288.tif 000002
【特許請求の範囲】
【請求項１】
画像と、ユーザからの指示に基づくユーザ指示情報とをシートに印刷する印刷装置であって、
管理者からの指示に基づく管理者指示情報を前記シートに印刷するか判定する判定手段と、
前記判定手段で前記管理者指示情報を印刷すると判定されたことに基づいて、前記ユーザ指示情報の印刷位置を決定する決定手段を有することを特徴とする印刷装置。
【請求項２】
前記決定手段は、前記管理者指示情報を印刷すると判定された場合に、そう判定されなかった場合とは異なる位置に前記ユーザ指示情報を印刷するように決定することを特徴とする請求項１に記載の印刷装置。
【請求項３】
画像と、管理者からの指示に基づく管理者指示情報とをシートに印刷する印刷装置であって、
ユーザからの指示に基づくユーザ指示情報を前記シートに印刷するか判定する判定手段と、
前記判定手段で前記ユーザ指示情報を印刷すると判定されたことに基づいて、前記管理者指示情報の印刷位置を決定する決定手段を有することを特徴とする印刷装置。
【請求項４】
前記決定手段は、前記ユーザ指示情報を印刷すると判定された場合に、そう判定されなかった場合とは異なる位置に前記管理者指示情報を印刷するように決定することを特徴とする請求項３に記載の印刷装置。
【請求項５】
画像と、第１の人を特定する情報でログインした人による指示に基づく第１の情報とをシートに印刷する印刷装置であって、
第２の人を特定する情報でログインした人による指示に基づく第２の情報を前記シートに印刷するか判定する判定手段と、
前記判定手段で前記第２の情報を印刷すると判定されたことに基づいて、前記第１の情報の印刷位置を決定する決定手段を有することを特徴とする印刷装置。
【請求項６】
前記決定手段は、前記第２の情報を印刷すると判定された場合に、そう判定されなかった場合とは異なる位置に前記第１の情報を印刷するように決定することを特徴とする請求項５に記載の印刷装置。
【請求項７】
画像と、第１の人を特定する情報でログインした人による指示に基づく第１の情報とをシートに印刷する印刷方法であって、
第２の人を特定する情報でログインした人による指示に基づく第２の情報を前記シートに印刷するか判定する判定工程と、
前記判定工程で前記第２の情報を印刷すると判定されたことに基づいて、前記第１の情報の印刷位置を決定する決定工程を有することを特徴とする印刷方法。
【請求項８】
前記決定工程では、前記第２の情報を印刷すると判定された場合に、そう判定されなかった場合とは異なる位置に前記第１の情報を印刷するように決定することを特徴とする請求項７に記載の印刷方法。
【請求項９】
請求項７又は８に記載の印刷方法を印刷装置に実行させるためのプログラム。
【発明の詳細な説明】
【技術分野】
【０００１】
本発明は、部毎に異なる番号情報と印刷者を示すユーザ情報を印刷対象の画像に付加することが可能な印刷装置に関する。
【背景技術】
【０００２】
従来、複数部の印刷を行う場合に、部毎に異なる番号情報を印刷対象の画像に付加することが知られている（例えば、特許文献１）。部毎に異なる番号情報を付加することによって、印刷物の配布先（例えば、会議の参加者）と印刷物の番号を対応付けて記録しておけば、配布後の印刷物を追跡することが可能となる。
【０００３】
一方、近年では、印刷対象の画像に対して印刷者（印刷を指示したユーザ、印刷装置の使用者等）を示すユーザ情報を付加することが知られている。これは、誰が印刷したかを後で印刷物から特定できるようにするためのものである。
【先行技術文献】
【特許文献】
【０００４】
【特許文献１】特開２００５−３０５６７１号公報
【発明の概要】
【発明が解決しようとする課題】
【０００５】
上述したように、印刷対象の画像に付加できるものとして「部毎に異なる番号情報」と「印刷者を示すユーザ情報」が知られているが、異なる目的のために付加されるこれらの両方を１つの画像に付加することについては、従来は想定されていなかった。
【０００６】
番号情報とユーザ情報を１つの画像に付加する場合、各々の情報が同じ位置に付加されてしまう可能性が考えられる。例えば、画像の右上、右下、左上、左下を含む複数の領域のうち、番号情報を付加する領域として右上が選択され、ユーザ情報を付加する領域としても右上が選択されることが考えられる。このような場合、選択された領域内の所定位置で番号情報とユーザ情報が重なり合うことになり、いずれの情報も判別できないようになってしまう。特に、番号情報の付加を印刷装置の使用者が設定し、ユーザ情報の付加を印刷装置の管理者が設定するといったように、各情報の付加に関する設定を異なる人が行う場合には、各情報を付加する領域として同じ領域が選択される可能性がより高まる。
【課題を解決するための手段】
【０００７】
本発明の印刷装置は、例えば、画像と、ユーザからの指示に基づくユーザ指示情報とをシートに印刷する印刷装置であって、管理者からの指示に基づく管理者指示情報を前記シートに印刷するか判定する判定手段と、前記判定手段で前記管理者指示情報を印刷すると判定されたことに基づいて、前記ユーザ指示情報の印刷位置を決定する決定手段を有することを特徴とする。
【発明の効果】
【０００８】
本発明によれば、情報を適切な位置に付加することができるようになる。
【図面の簡単な説明】
【０００９】
【図１】本発明の実施形態における印刷装置１０１を含むシステム全体図
【図２】本発明の実施形態における印刷装置１０１の外観図及び搬送パス図
【図３】本発明の実施形態における印刷装置１０１の操作部１０４の外観図
【図４】本発明の実施形態における印刷装置１０１の表示部１０３に表示される画面例
【図５】本発明の実施形態における印刷装置１０１の表示部１０３に表示される画面例
【図６】本発明の実施形態における識別情報を付加可能な領域を示す図
【図７】本発明の実施形態における印刷装置１０１の表示部１０３に表示される画面例
【図８】本発明の実施形態における印刷装置１０１の表示部１０３に表示される画面例
【図９】本発明の実施形態における番号情報を付加可能な領域を示す図
【図１０】本発明の実施形態における印刷装置１０１の動作を説明するフローチャート
【図１１】本発明の実施形態における識別情報及び番号情報の付加位置を示す図
【図１２】本発明の実施形態における印刷装置１０１の動作を説明するフローチャート
【発明を実施するための形態】
【００１０】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１１】
図１は、本発明を適用した印刷装置の一例である印刷装置１０１を含むシステムの全体図を示す。印刷装置１０１は、コントローラユニット１０２、表示部１０３、操作部１０４、プリンタユニット１０５、スキャナユニット１０６から構成されている。表示部１０３はＬＥＤや液晶ディスプレイを備え、ユーザの操作内容や装置の内部状態を表示する。操作部１０４は、ハードキー群または表示部１０３のタッチパネル機能を介してユーザの操作を受け付ける。
【００１２】
プリンタユニット１０５は、コントローラユニット１０２から印刷指示を受け付け、コントローラユニット１０２から送信される画像データに基づきシートに画像を印刷する。スキャナユニット１０６は、コントローラユニット１０２から読取指示を受け付け、原稿上の画像を読み取り、得られた画像データをコントローラユニット１０２に送信する。なお、スキャナユニット１０６によって生成された画像データに基づいてプリンタユニット１０５が印刷を行うこともできる（コピージョブ）。
【００１３】
コントローラユニット１０２は、ＣＰＵ１０７、ＲＯＭ１０８、ＲＡＭ１０９、ＨＤＤ１１０、ＥＥＰＲＯＭ１１１から構成されている。ＣＰＵ１０７は、印刷装置１０１に内蔵される制御プログラムの実行媒体であり、各Ｉ／Ｆや記憶媒体のメモリなどを介して、コントローラユニット１０２に接続されるデバイスの動作を制御する。ＲＯＭ１０８は読み取り専用メモリであり、システム起動に必要なブートプログラムなどを記憶している。ＲＡＭ１０９は、揮発メモリであり、制御プログラムを実行する際のワークメモリとして使用される。
【００１４】
ＨＤＤ１１０は、磁気ディスクなどの記憶媒体であり、制御プログラムや画像データなどを記憶している。ＥＥＰＲＯＭ１１１は、不揮発メモリであり、制御プログラムが実行する際に必要となる設定値などを記憶している。
【００１５】
ＣＰＵ１０７は、ＬＡＮ／ＷＡＮ１１２を介して外部装置であるＰＣ１１３からのＰＤＬデータを受信し、受信したＰＤＬデータに基づく印刷をプリンタユニット１０５に実行させることができる（ＰＤＬジョブ）。ＰＤＬデータは、ホストコンピュータであるＰＣ１１３にインストールされたプリンタドライバによって生成される。
【００１６】
図２（ａ）は、印刷装置１０１の外観図である。印刷装置１０１は、筺体の下部がプリンタユニット１０５に対応し、筺体の上部がスキャナユニット１０６に対応する。印刷に使用するシートの供給元として、手差しトレイ２０１とカセット２０２が備えられている。また、画像が印刷されたシートの排出先として排出トレイ２０３が備えられている。
【００１７】
図２（ｂ）は、プリンタユニット１０５の内部における、シートの搬送パスを示す図である。感光ドラム２０７は、特定の極性電位に帯電処理された後、図示しない露光部によって露光される。これにより、感光ドラム２０７上に静電潜像が形成される。その後、現像器２０４を用いて感光ドラム２０７上にトナーを付着させることにより画像が現像される。
【００１８】
感光ドラム２０７上で現像された画像は、中間転写ベルト２０５に転写された後、手差しトレイ２０１またはカセット２０２からから搬送パス２１０に搬送されたシートに転写される。画像が転写されたシートは、定着器２０６まで搬送され、加熱及び加圧による定着処理がなされる。片面印刷の場合は、定着されたシートは搬送パス２０８を経由し、排出トレイ２０３に印刷面を下向きにして排出される。両面印刷の場合は、搬送パス２０８において反転され、搬送パス２０９を経由して、搬送パス２１０に再供給される。両面印刷では、シートの裏面への印刷が先に行われ、表面を下向きにして搬出される。
【００１９】
図３は、表示部１０３を含む操作部１０４の外観図である。メインメニューキー３０１は、表示部１０３にメインメニュー（図４（ａ））を表示させるためのキーである。テンキー３０２は、ユーザが数値（例えば、後述する印字開始数字）を入力するためのキーである。設定キー３０３は、印刷装置１０１の装置全体に対する各種設定を行う場合に押下するキーである。スタートキー３０４は、印刷などの処理の実行を指示する場合に押下するキーである。
【００２０】
図４（ａ）は、メインメニューキー３０１が押下された場合に表示部１０３に表示される操作画面である。図示するように、印刷装置１０１は、「コピー」や「プリント」などの複数の機能を備えている。図４（ｂ）は、設定キー３０３が押下された場合に表示部１０３に表示される操作画面である。ユーザは、この画面から更に遷移する各画面を介して各種設定を行うことができる。
【００２１】
図５（ａ）は、図４（ｂ）に示す操作画面において「ファンクション設定」という名称の項目４０２が選択された場合に表示部１０３に表示される操作画面である。この画面には、「識別情報の強制印字」という項目５０１が含まれている。なお、項目５０１は、印刷装置１０１の管理者によってのみ設定可能な項目であるため、一般のユーザが操作しているときにはグレーアウト表示される。項目５０１の設定を行いたい場合は、図４（ｂ）のログインキー４０３を押下して管理者として認証される必要がある。
【００２２】
図５（ｂ）は、図５（ａ）の項目５０１が選択された場合に表示部１０３に表示される操作画面である。この画面では、識別情報の強制印字に関する設定を行うことができる。なお、ここでの識別情報とは、印刷者（印刷を指示したユーザ、印刷装置１０１の使用者等）を示すユーザ情報を含むものであり、ユーザ情報以外にも、印刷日時や印刷装置１０１のＩＰアドレス、更には印刷装置１０１のシリアル番号が含まれる。印刷者を示すユーザ情報が強制的に付加（印字）されることによって、誰が印刷したかを後で印刷物から特定できる。ユーザ情報が示すユーザ（印刷装置１０１の使用者）は、コピージョブを実行する場合は、印刷装置１０１にログインしているユーザである。また、ＰＤＬジョブを実行する場合は、ホストコンピュータであるＰＣ１１３にログインしているユーザである。
【００２３】
識別情報を印字したい場合は、ＯＮキー５０２を押下する。キー群５０３は、識別情報を印字するか否かを機能毎に設定するためのキーである。キー群５０４は、識別情報を印字する領域を選択するためのキー（領域選択キー）である。識別情報を印字可能な領域は、画像の右上、右下、左上、左下の４つである。
【００２４】
図６は、画像に対して識別情報が付加された状態を示す図である。図６（ａ）は、識別情報の付加領域として左上が選択された場合を示す。なお、図中の実線はシート端を示し、図中の点線は画像を印刷可能な領域を示す。識別情報を左上に付加する場合は、付加情報に対応する大きさの矩形の左上点が印刷可能領域の左上点と一致するように配置される。なお、印刷可能領域の端から少し内側に余白を空けて配置するようにしても良いし、この余白の幅をユーザが設定できるようにしても良い。以下同様に、図６（ｂ）、（ｃ）、（ｄ）は、それぞれ識別情報の付加領域として右上、左下、右下が選択された場合を示している。
【００２５】
図７（ａ）は、図４（ａ）に示す操作画面において、コピーキー４０１が押下された場合に表示部１０３に表示される操作画面である。この画面では、コピージョブを実行させようとするユーザが、コピージョブに関する各種設定（カラー／モノクロの選択、片面／両面の選択、部数、濃度等）を行うことができる。なお、この画面で設定された内容は、メインメニューキー３０１や設定キー３０３が押下されるとクリアされる。
【００２６】
図７（ｂ）は、図７（ａ）に示す操作画面において、「その他の機能」キー７０１が押下された場合に表示部１０３に表示される操作画面である。この画面には、部数印字の設定を行う部数印字キー７０２が含まれている。部数印字とは、複数部の印刷を行う場合に、部毎に異なる番号情報を印刷対象の画像に付加する機能である。部毎に異なる番号情報を付加することによって、印刷物の配布先（例えば、会議の参加者）と印刷物の番号を対応付けて記録しておけば、配布後の印刷物を追跡することが可能となる。
【００２７】
図８（ａ）（ｂ）は、図７（ｂ）に示す操作画面において、部数印字キー７０２が押下された場合に表示部１０３に表示される操作画面である。図８（ａ）において、キー群８０１は、番号情報を印字する領域を選択するためのキー（領域選択キー）である。識別情報を印字可能な領域は、画像の右上、右下、左上、左下の４つに加え、「５箇所」と「全面」の合計６つである。
【００２８】
項目８０２乃至８０４では、印字する番号情報の文字属性を選択することができる（文字属性選択キー）。具体的に、項目８０２では番号情報のサイズを選択可能であり、項目８０３では番号情報の文字色を選択可能であり、項目８０４では番号情報の濃度を選択可能である。項目８０５には、印字開始数字を入力する。例えば項目８０５に「１０１」を入力すると、１部目の印刷物に「００１０１」が付加され、２部目の印刷物に「００１０２」が付加されるようになる。
【００２９】
図９は、画像に対して番号情報が付加された状態を示す図である。図９（ａ）は、番号情報の付加領域として左上が選択された場合を示す。図６と同様に、図中の実線はシート端を示し、図中の点線は画像を印刷可能な領域を示す。番号情報を左上に付加する場合は、付加情報に対応する大きさの矩形の左上点が印刷可能領域の左上点と一致するように配置される。なお、印刷可能領域の端から少し内側に余白を空けて配置するようにしても良いし、この余白の幅をユーザが設定できるようにしても良い。以下同様に、図６（ｂ）、（ｃ）、（ｄ）は、それぞれ番号情報の付加領域として右上、左下、右下が選択された場合を示している。
【００３０】
部数印字の機能では、付加領域として、識別情報の印字にはない選択肢である「５箇所」と「全面」を選択可能である。図９（ｅ）は、番号情報の付加領域として「５箇所」が選択された場合を示す。「５箇所」が選択されると、右上、右下、左上、左下の４箇所と、中央部分の１箇所に番号情報が付加される。図９（ｆ）は、番号情報の付加領域として「全面」が選択された場合を示す。「全面」が選択されると、印刷可能領域の全体にわたって多数の番号情報が付加される。
【００３１】
ところで、部数印字の機能では、番号情報を付加する領域と番号情報の文字属性を選択可能となっているが、上述した識別情報の印字がオンになっている場合には、これらの選択ができないようにしている。これは、番号情報の付加と識別情報の付加を独立に設定できるようにしていると、同じ領域への付加が設定され、重なり合った位置に印字することになってしまうおそれがあるためである。
【００３２】
そこで、印刷装置１０１では、識別情報の印字がオンになっている場合には、番号情報を付加する領域を識別情報が付加される領域と敢えて同じ領域に固定化し、番号情報の文字属性も識別情報の文字属性と同じものに固定化している。その上で、図１１を用いて後述するように、番号情報または識別情報の付加位置を領域内で動的に変更することによって各情報が重なり合うことを防止するとともに、見栄え良く情報を付加するようにしている。
【００３３】
図１０は、部数印字の設定動作を説明するフローチャートである。図１０のフローチャートに示す各動作（ステップ）は、印刷装置１０１のＣＰＵ１０７がＲＯＭ１０８に記憶された制御プログラムを実行することにより実現される。
【００３４】
ステップＳ１００１では、部数印字の設定が指示されたか否かを判定する。ここでは、図７（ｂ）に示す部数印字キー７０２が押下された場合に部数印字の設定が指示されたと判定し、ステップＳ１００２に進む。
【００３５】
ステップＳ１００２では、識別情報の印字がオンになっているか否かを判定する。この判定は、図５（ｂ）の画面を介して設定され、ＥＥＰＲＯＭ１１１に記憶されている情報を参照することによって行われる。識別情報の印字がオンになっていない場合はステップＳ１００４に進み、印字領域および文字属性を選択可とした画面（図８（ａ））が表示される。一方、識別情報の印字がオンになっている場合はステップＳ１００３に進み、印字領域および文字属性を選択不可とした画面（図８（ｂ））が表示される。なお、ここでは印字領域および文字属性を画面上で選択できないようにしているが、ステップＳ１００３においてもステップＳ１００４と同様の画面を表示し、ＯＫキーが押下されたときに設定エラーを表示するようにしても良い。
【００３６】
ステップＳ１００５では、図８（ａ）または（ｂ）の画面を介した設定を受け付ける。続いて、ステップＳ１００６においてＯＫキーが押下されたと判定すると、処理を終了する。
【００３７】
図１１は、画像に付加される情報（上述した識別情報や番号情報）の位置を詳細に示す図である。図１１（ａ）乃至（ｃ）は、付加領域が右上または左上の場合を示し、図１１（ｄ）乃至（ｆ）は、付加領域が右下または左下の場合を示す。付加領域が右上または左上の場合は、上から順に１行目、２行目・・・とカウントし、付加領域が右下または左下の場合は、下から順に１行目、２行目・・・とカウントする。
【００３８】
図１１（ａ）は、識別情報の印字がオフで、部数印字がオンの場合を示している。この場合は、１行目に番号情報が付加される。図１１（ｂ）は、識別情報の印字がオンで、部数印字がオフの場合を示している。この場合は、１〜４行目に識別情報が付加される。図１１（ｃ）は、識別情報の印字がオンで、部数印字もオンの場合を示している。この場合は、１行目に番号情報が付加され、２〜５行目に識別情報が付加される。
【００３９】
ここで、図１１（ｂ）と（ｃ）を比較すると、番号情報が付加されるか否かに基づき、識別情報を付加する位置が決定（変更）されていることが分かる。これにより、付加領域が右上または左上の場合に、番号情報と識別情報が同じ位置で重なり合うことを防止することができる。
【００４０】
図１１（ｄ）は、識別情報の印字がオフで、部数印字がオンの場合を示している。この場合は、１行目に番号情報が付加される。図１１（ｅ）は、識別情報の印字がオンで、部数印字がオフの場合を示している。この場合は、１〜４行目に識別情報が付加される。図１１（ｆ）は、識別情報の印字がオンで、部数印字もオンの場合を示している。この場合は、１〜４行目に識別情報が付加され、５行目に番号情報が付加される。
【００４１】
ここで、図１１（ｄ）と（ｆ）を比較すると、識別情報が付加されるか否かに基づき、番号情報を付加する位置が決定（変更）されていることが分かる。これにより、付加領域が右下または左下の場合に、番号情報と識別情報が同じ位置で重なり合うことを防止することができる。
【００４２】
図１２は、印刷の実行が指示された場合の動作を説明するフローチャートである。図１２のフローチャートに示す各動作（ステップ）は、印刷装置１０１のＣＰＵ１０７がＲＯＭ１０８に記憶された制御プログラムを実行することにより実現される。
【００４３】
ステップＳ１２０１では、印刷の実行が指示されたか否かを判定する。ここでは、スタートキー３０４が押下された場合に印刷の実行が指示されたと判定し、ステップＳ１２０２に進む。ステップＳ１２０２では、部数印字がオンになっているか否かを判定する。この判定は、図８（ａ）（ｂ）の画面を介して設定され、ＥＥＰＲＯＭ１１１に記憶されている情報を参照することによって行われる。部数印字がオンになっている場合はステップＳ１２０３に進み、オンになっていない（オフになっている）場合はステップＳ１２０４に進む。
【００４４】
ステップＳ１２０３では、識別情報の印字がオンになっているか否かを判定する。この判定は、図５（ｂ）の画面を介して設定され、ＥＥＰＲＯＭ１１１に記憶されている情報を参照することによって行われる。識別情報の印字がオンになっている場合はステップＳ１２０５に進み、オンになっていない（オフになっている）場合はステップＳ１２０８に進む。
【００４５】
ステップＳ１２０５では、識別情報及び番号情報の付加領域を判定する。なお、上述したように、識別情報及び番号情報の両方を付加する場合は、各情報は同じ領域に付加される。付加領域が右上または左上の場合はステップＳ１２０６に進み、右下または左下の場合はステップＳ１２０７に進む。
【００４６】
ステップＳ１２０６では、画像の右上または左上の所定領域において、図１１（ｃ）に示すように、１行目に番号情報が付加され、２〜５行目に識別情報が付加される。ステップＳ１２０７では、画像の右下または左下の所定領域において、図１１（ｆ）に示すように、１〜４行目に識別情報が付加され、５行目に番号情報が付加される。
【００４７】
ステップＳ１２０８では、図１１（ａ）または（ｄ）に示すように、画像の右上、左上、右下、左下の所定領域において、１行目に番号情報が付加される。
【００４８】
ステップＳ１２０４では、識別情報の印字がオンになっているか否かを判定する。この判定は、ステップＳ１２０３と同様に、図５（ｂ）の画面を介して設定され、ＥＥＰＲＯＭ１１１に記憶されている情報を参照することによって行われる。識別情報の印字がオンになっている場合はステップＳ１２０９に進み、図１１（ｂ）または（ｅ）に示すように、画像の右上、左上、右下、左下の所定領域において、１〜４行目に識別情報が付加される。ステップＳ１２０４の判定の結果、識別情報の印字がオンになっていない場合は、識別情報及び番号情報のいずれも付加されることなくステップＳ１２１０に進む。
【００４９】
ステップＳ１２１０では、識別情報及び／または番号情報が付加された、又はいずれの情報も付加されていない画像を印刷する。なお、印刷対象のページが複数ある場合は、ステップＳ１２１０の後、ステップＳ１２０２に戻り処理を繰り返す。
【００５０】
なお、ここではコピージョブを前提として説明したが、本発明はＰＤＬジョブを実行する場合にも適用できる。ＰＤＬジョブを実行する場合は、図８（ａ）（ｂ）の画面に相当する操作画面がＰＣ１１３側に表示され、ＰＣ１１３側でユーザによる設定がなされる。
【００５１】
以上説明したように、印刷装置１０１は、印刷対象の画像に対して識別情報（印刷者を示すユーザ情報）を付加するか否かを判定し、この判定の結果に基づき、部毎に異なる番号情報を付加する位置を決定する。また、印刷装置１０１は、印刷対象の画像に対して部毎に異なる番号情報を付加するか否かを判定し、この判定の結果に基づき、印刷者を示すユーザ情報を付加する位置を決定する。これにより、部毎に異なる番号情報及び印刷者を示すユーザ情報を適切な位置に付加することができるようになる。
【００５２】
＜他の実施形態＞
更に、本発明の目的は、以下の処理を実行することによっても達成される。即ち、上述した実施形態の機能を実現するソフトウェアのプログラムコードを記録した記憶媒体をシステム或いは装置に供給し、そのシステム或いは装置のコンピュータ（またはＣＰＵやＭＰＵ等）が記憶媒体に格納されたプログラムコードを読み出す処理である。
【００５３】
この場合、記憶媒体から読み出されたプログラムコード自体が前述した実施の形態の機能を実現することになり、そのプログラムコード及び該プログラムコードを記憶した記憶媒体は本発明を構成することになる。
【図１】
2020059288.tif 000003
【図２】
2020059288.tif 000004
【図３】
2020059288.tif 000005
【図４】
2020059288.tif 000006
【図５】
2020059288.tif 000007
【図６】
2020059288.tif 000008
【図７】
2020059288.tif 000009
【図８】
2020059288.tif 000010
【図９】
2020059288.tif 000011
【図１０】
2020059288.tif 000012
【図１１】
2020059288.tif 000013
【図１２】
2020059288.tif 000014